(57)【特許請求の範囲】
【請求項１】
バッテリを備え、通信装置と通信可能な撮像装置であって、
被写体を撮影することにより得られた信号を画像データとして取得し、記録媒体に記録する記録手段と、
前記記録媒体に記録された画像データを検索するための検索情報を前記通信装置から受信する受信手段と、
前記受信手段により受信された検索情報に基づき、前記記録媒体から前記画像データを検索する検索手段と、
前記検索手段により検索された前記画像データの属性情報を前記通信装置へ送信する送信手段と、
前記バッテリの残量を検知する検知手段と、
前記検知手段により検知されたバッテリの残量が前記検索手段による検索処理および前記送信手段による送信処理を完了するのに十分であるか否かを判定する判定手段と、
前記判定手段により前記バッテリの残量が十分でないと判定されたとき、前記受信手段による受信処理の実行は禁止するが、前記記録手段による記録処理の実行は可能にするよう制御する制御手段とを備えたことを特徴とする撮像装置。
【請求項２】
前記判定手段により前記バッテリの残量が十分でないと判定されたとき、警告を表示手段に表示する表示制御手段をさらに備えたことを特徴とする請求項１記載の撮像装置。
【請求項３】
前記属性情報は前記画像データの縮小画像を含むことを特徴とする請求項１または２記載の撮像装置。
【請求項４】
前記検索情報は名称、撮影日時、撮影場所、キーワードのうち少なくとも１つを含むことを特徴とする請求項１乃至３のいずれか１項に記載の撮像装置。
【請求項５】
バッテリを備え、通信装置と通信可能な撮像装置の制御方法であって、
被写体を撮影することにより得られた信号を画像データとして取得し、記録媒体に記録する記録ステップと、
前記記録媒体に記録された画像データを検索するための検索情報を前記通信装置から受信する受信ステップと、
前記受信された検索情報に基づき、前記記録媒体から前記画像データを検索する検索ステップと、
前記検索された前記画像データの属性情報を前記通信装置へ送信する送信ステップと、
前記バッテリの残量を検知する検知ステップと、
前記検知されたバッテリの残量が前記検索ステップによる検索処理および前記送信ステップによる送信処理を完了するのに十分であるか否かを判定する判定ステップと、
前記判定の結果、前記バッテリの残量が十分でないとき、前記受信ステップによる受信処理の実行は禁止するが、前記記録ステップによる記録処理の実行は可能にするよう制御する制御ステップとを備えたことを特徴とする制御方法。
【請求項６】
バッテリを備え、通信装置と通信可能な撮像装置の制御方法をコンピュータに実行させるプログラムにおいて、
被写体を撮影することにより得られた信号を画像データとして取得し、記録媒体に記録する記録ステップと、
前記記録媒体に記録された画像データを検索するための検索情報を前記通信装置から受信する受信ステップと、
前記受信された検索情報に基づき、前記記録媒体から前記画像データを検索する検索ステップと、
前記検索された前記画像データの属性情報を前記通信装置へ送信する送信ステップと、前記バッテリの残量を検知する検知ステップと、
前記検知されたバッテリの残量が前記検索ステップによる検索処理および前記送信ステップによる送信処理を完了するのに十分であるか否かを判定する判定ステップと、
前記判定の結果、前記バッテリの残量が十分でないとき、前記受信ステップによる受信処理の実行は禁止するが、前記記録ステップによる記録処理の実行は可能にするよう制御する制御ステップとを実行させることを特徴とするプログラム。
【発明の詳細な説明】
【０００１】
【発明の属する技術分野】
本発明は、撮像装置及びその制御方法、並びにプログラムに関し、特に、装置間通信によりデータの通信を行う撮像装置及びその制御方法、並びにプログラムに関する。
【０００２】
【従来の技術】
近年、半導体技術等の進歩によって、電話機能を備える携帯型無線通信装置の普及が普及し、個人が１台ずつ携帯型無線通信装置を持つようになっている。それにより、電話を用いたコミュニケーションは、電話番号に対する通話（Ｃａｌｌ  ｔｏ  ｎｕｍｂｅｒ）から人に対する通話（Ｃａｌｌ  ｔｏ  ｐｅｒｓｏｎ）に移りつつある。
【０００３】
さらに、携帯型無線通信装置のほとんどが音声通話に加えて、文字メール機能や簡易的なＷｅｂブラウザ機能を実現できるようになっている。
【０００４】
したがって、次世代携帯型無線通信装置の更なるコミュニケーション能力の向上を考えると、画像の撮影機能とその通信機能とが重要になってくるものと思われる。
【０００５】
従来、デジタルカメラ等の撮像装置で撮影した画像データを携帯型無線通信装置を介して伝送することは試みられているが、通信速度の向上とデジタルカメラの高画質化とによって、その実用性は一段と向上している。
【０００６】
事実、デジタルカメラは、近年その性能が飛躍的に向上し、いわゆるＬサイズ程度の大きさにプリントアウトするのであれば、銀塩カメラ（銀塩フィルムを用いたカメラ）に近い画質で撮影を行うことができるようになっている。したがって、従来のように銀塩カメラを用いて撮影し、ミニラボ等の現像所にて現像、焼き付けを行わせ、このようにして得た画像をスキャナ等で読み取ってデジタルデータ化して伝送する時間や手間を考えると、デジタルカメラと携帯型無線通信装置を使って画像通信を含むデータ通信を行うほうが、はるかに効率的になったと云える。
【０００７】
また、上記のように、デジタルカメラと携帯型無線通信装置とを使って画像通信を行うことは、通信需要の多様化、マルチメディア化という現代社会の方向性にも合致するものである。
【０００８】
【発明が解決しようとする課題】
しかしながら、上記のようなデータ通信システムは、デジタルカメラと携帯型無線通信装置の間は装置間通信、携帯型無線通信装置間は網通信により画像データの送受信を行っているのみであり、携帯型無線通信装置がデジタルカメラの記憶する画像データを検索したり、検索した画像データを携帯型無線通信装置に表示したりすることはできなかった。
【０００９】
【発明が解決しようとする課題】
本発明は、撮像装置が記憶する画像データを通信装置から検索し、しかも検索した画像データを通信装置に表示できると共に、撮像した画像データを記憶し、これらの記憶した画像データを装置間通信により送信できる撮像装置及びその制御方法、並びにプログラムを提供することを目的とするものである。
【００１０】
【課題を解決するための手段】
上記目的を達成するために、請求項１記載の撮像装置は、バッテリを備え、通信装置と通信可能な撮像装置であって、被写体を撮影することにより得られた信号を画像データとして取得し、記録媒体に記録する記録手段と、前記記録媒体に記録された画像データを検索するための検索情報を前記通信装置から受信する受信手段と、前記受信手段により受信された検索情報に基づき、前記記録媒体から前記画像データを検索する検索手段と、前記検索手段により検索された前記画像データの属性情報を前記通信装置へ送信する送信手段と、前記バッテリの残量を検知する検知手段と、前記検知手段により検知されたバッテリの残量が前記検索手段による検索処理および前記送信手段による送信処理を完了するのに十分であるか否かを判定する判定手段と、前記判定手段により前記バッテリの残量が十分でないと判定されたとき、前記受信手段による受信処理の実行は禁止するが、前記記録手段による記録処理の実行は可能にするよう制御する制御手段とを備えたことを特徴とする。
【００１１】
請求項２記載の撮像装置は、請求項１記載の撮像装置において、前記判定手段により前記バッテリの残量が十分でないと判定されたとき、警告を表示手段に表示する表示制御手段をさらに備えたことを特徴とする。
【００１２】
請求項３記載の撮像装置は、請求項１または２記載の撮像装置において、前記属性情報は前記画像データの縮小画像を含むことを特徴とする。
【００１３】
請求項４記載の撮像装置は、請求項１乃至３のいずれか１項に記載の撮像装置において、前記検索情報は名称、撮影日時、撮影場所、キーワードのうち少なくとも１つを含むことを特徴とする。
【００３６】
上記目的を達成するために、請求項５記載の撮像装置の制御方法は、バッテリを備え、通信装置と通信可能な撮像装置の制御方法であって、被写体を撮影することにより得られた信号を画像データとして取得し、記録媒体に記録する記録ステップと、前記記録媒体に記録された画像データを検索するための検索情報を前記通信装置から受信する受信ステップと、前記受信された検索情報に基づき、前記記録媒体から前記画像データを検索する検索ステップと、前記検索された前記画像データの属性情報を前記通信装置へ送信する送信ステップと、前記バッテリの残量を検知する検知ステップと、前記検知されたバッテリの残量が前記検索ステップによる検索処理および前記送信ステップによる送信処理を完了するのに十分であるか否かを判定する判定ステップと、前記判定の結果、前記バッテリの残量が十分でないとき、前記受信ステップによる受信処理の実行は禁止するが、前記記録ステップによる記録処理の実行は可能にするよう制御する制御ステップとを備えたことを特徴とする。
【００３８】
上記目的を達成するために、請求項６記載のプログラムは、バッテリを備え、通信装置と通信可能な撮像装置の制御方法をコンピュータに実行させるプログラムにおいて、被写体を撮影することにより得られた信号を画像データとして取得し、記録媒体に記録する記録ステップと、前記記録媒体に記録された画像データを検索するための検索情報を前記通信装置から受信する受信ステップと、前記受信された検索情報に基づき、前記記録媒体から前記画像データを検索する検索ステップと、前記検索された前記画像データの属性情報を前記通信装置へ送信する送信ステップと、前記バッテリの残量を検知する検知ステップと、前記検知されたバッテリの残量が前記検索ステップによる検索処理および前記送信ステップによる送信処理を完了するのに十分であるか否かを判定する判定ステップと、前記判定の結果、前記バッテリの残量が十分でないとき、前記受信ステップによる受信処理の実行は禁止するが、前記記録ステップによる記録処理の実行は可能にするよう制御する制御ステップとを実行させることを特徴とする。
【００４２】
【発明の実施の形態】
以下、本発明の実施の形態を図面に基づいて詳細に説明する。
【００４３】
（第１の実施の形態）
図１は、本発明の第１の実施の形態に係るデータ通信システムの全体構成を示す図である。
【００４４】
図１において、撮像装置１００，５００は画像を撮影するデジタルカメラ等であり、通信装置３００，７００は電話機能、電子メール機能、及びＷｅｂブラウズ機能等を備える携帯電話機等である。撮像装置１００と通信装置３００とは、Ｂｌｕｅｔｏｏｔｈ規格に基づく無線通信により相互にコマンド、撮影画像を含むデータを送受信することができる。同様に、撮像装置５００と通信装置７００も、相互にコマンド、撮影画像を含むデータを送受信することができる。尚、上記無線通信はＢｌｕｅｔｏｏｔｈ規格に限られず、例えば、スペクトラム拡散方式でもよい。
【００４５】
また、通信装置３００と通信装置７００とは、公衆通信網を介して無線通信を行うことができる。このように、撮像装置１００と撮像装置５００とは、通信装置３００，７００を介して互いに接続可能になっている。
【００４６】
図２は、図１における撮像装置１００及び通信装置３００の外観図である。
【００４７】
図２において、撮像装置１００は、フラッシュ４８、モードダイアル６０、シャッタスイッチ６２，６４、単写／連写スイッチ６６、圧縮モードスイッチ６８、操作部７０、メインスイッチ７２、光学ファインダ１０４、通信手段１１０、アンテナ１１２、撮影レンズ１０等を筺体各部に装備している。通信装置３００は、マイク３１０、スピーカ３１８、通信手段３２６、アンテナ３２８、通信手段３３０、アンテナ３３２、表示部３６０、画像表示手段３２４、及び操作部３６２等を筺体各部に装備している。また、撮像装置１００はスロットを有し、記録媒体（記憶媒体）１２０をスロットの中に収容することができ、同様に、通信装置３００はスロットを有し、記録媒体（記憶媒体）２００をスロットの中に収容することができる。
【００４８】
図１における撮像装置５００及び通信装置７００の外部構成も上記撮像装置１００及び通信装置３００の外部構成と同じである。また、以下に説明する撮像装置１００及び通信装置３００の内部構成も、同様に撮像装置５００及び通信装置７００のものと同じである。
【００４９】
図３は、図１における撮像装置１００の概略構成を示すブロック図である。
【００５０】
図３において、撮像装置１００は、保護手段１０２、撮影レンズ１０、シャッタ１２、撮像素子１４、Ａ／Ｄ変換器１６、タイミング発生回路１８、画像処理回路２０、メモリ制御回路２２、画像表示メモリ２４、Ｄ／Ａ変換器２６、画像表示手段２８、メモリ３０、圧縮・伸長回路３２、光学ファインダ１０４、通信手段１１０、アンテナ１１２、システム制御回路５０、露光制御手段４０、測距制御手段４２、ズーム制御手段４４、バリア制御手段４６、フラッシュ４８、電源制御手段８０、コネクタ８２，８４、電源８６、メモリ５２、表示手段５４、不揮発性メモリ５６、識別情報５８、モードダイアルスイッチ６０、シャッタスイッチ６２，６４、単写／連写スイッチ６６、圧縮モードスイッチ６８、操作部７０、メインスイッチ７２、コネクタ１２７、及びインタフェース（Ｉ／Ｆ）１２８を備えている。
【００５１】
また、撮像装置１００は、スロットに装着された記録媒体１２０とインタフェース１２８、コネクタ１２７を介して接続されている。
【００５２】
上記構成を詳述すると、撮影レンズ１０は、被写体の光学像を取り込む。
【００５３】
保護手段１０２は、撮像装置１００の撮影レンズ１０を含む撮像部を覆うことにより、撮像部の汚れや破損を防止するバリアである。シャッタ１２は、絞り機能を備える。撮像素子１４は、撮影レンズ１０を介して取り込んだ光学像を電気信号に変換して出力する。Ａ／Ｄ変換器１６は、撮像素子１４のアナログ信号出力をデジタル信号に変換する。Ｄ／Ａ変換器２６は、デジタル信号をアナログ信号に変換する。タイミング発生回路１８は、撮像素子１４、Ａ／Ｄ変換器１６、Ｄ／Ａ変換器２６にクロック信号や制御信号を供給する回路であり、メモリ制御回路２２及びシステム制御回路５０により制御される。
【００５４】
画像処理回路２０は、Ａ／Ｄ変換器１６からのデータ或いはメモリ制御回路２２からのデータに対して所定の画素補間処理や色変換処理を行う。
【００５５】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（Through The Lens）方式のＡＦ（Auto Focus：オートフォーカス）処理、ＡＥ（Auto Exposure：自動露出）処理、ＥＦ（フラッシュプリ発光）処理を行っている。
【００５６】
さらに、画像処理回路２０においては、撮像した画像データを用いて所定の演算処理を行い、得られた演算結果に基づいてＴＴＬ方式のＡＷＢ（Auto White Balance）処理も行っている。
【００５７】
メモリ制御回路２２は、Ａ／Ｄ変換器１６、タイミング発生回路１８、画像処理回路２０、画像表示メモリ２４、Ｄ／Ａ変換器２６、メモリ３０、及び圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００５８】
画像表示手段２８は、ＴＦＴ  ＬＣＤ（Thin Film Transistor Liquid Crystal Display）等から構成される。画像表示メモリ２４に書き込まれた表示用の画像データは、Ｄ／Ａ変換器２６を介して画像表示手段２８により表示される。
【００５９】
撮像した画像データを画像表示手段２８を用いて逐次表示すれば、電子ファインダ機能を実現することが可能である。また、画像表示手段２８は、システム制御回路５０の指示により任意に表示をＯＮ／ＯＦＦすることが可能であり、表示をＯＦＦにした場合には撮像装置１００の電力消費を大幅に低減することができる。
【００６０】
メモリ３０は、撮影した静止画像や動画像を格納するための揮発性メモリ或いは不揮発性メモリからなるメモリであり、所定枚数の静止画像や所定時間の動画像を格納するのに十分な記憶量を備えている。
【００６１】
これにより、複数枚の静止画像を連続して撮影する連写撮影やパノラマ撮影の場合にも、高速且つ大量の画像書き込みをメモリ３０に対して行うことが可能となる。
【００６２】
また、メモリ３０は、システム制御回路５０の作業領域としても使用することが可能である。
【００６３】
圧縮・伸長回路３２は、適応離散コサイン変換（ＡＤＣＴ）等により画像データを圧縮・伸長する回路であり、メモリ３０に格納された画像データを読み込んで圧縮処理或いは伸長処理を行い、処理を終えた画像データをメモリ３０に書き込む。
【００６４】
露光制御手段４０は、絞り機能を備えるシャッタ１２を制御するものであり、フラッシュ４８と連携することによりフラッシュ調光機能も有するものである。測距制御手段４２は、撮影レンズ１０のフォーカシングを制御する。ズーム制御手段４４は、撮影レンズ１０のズーミングを制御する。バリア制御手段４６はバリアである保護手段１０２の動作を制御する。フラッシュ４８は、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００６５】
システム制御回路５０は、撮像装置１００全体を制御する。メモリ５２は、システム制御回路５０の動作用の定数、変数、プログラム等を記憶する。表示手段５４は、システム制御回路５０でのプログラムの実行に応じて、文字、画像、音声等を用いて動作状態やメッセージ等を表示する液晶表示装置、スピーカ等であり、撮像装置１００の操作部近辺の視認し易い位置に単数或いは複数設置され、例えばＬＣＤやＬＥＤ、発音素子等の組み合わせにより構成されている。また、表示手段５４は、その一部の機能が光学ファインダ１０４内に設置されている。
【００６６】
表示手段５４の表示内容のうち、ＬＣＤ等に表示するものとしては、例えば、シングルショット／連写撮影表示、セルフタイマ表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池（バッテリ）残量表示、エラー表示、複数桁の数字による情報表示、記録媒体２００の着脱状態表示、通信Ｉ／Ｆ動作表示、及び日付・時刻表示等がある。また、表示手段５４の表示内容のうち、光学ファインダ１０４内に表示するものとしては、合焦表示、手振れ警告表示、フラッシュ充電表示、シャッタスピード表示、絞り値表示、及び露出補正表示等がある。
【００６７】
不揮発性メモリ５６は、電気的に消去・記録可能なメモリであり、例えばＥＥＰＲＯＭ（Electrically Erasable Programmable ROM）等が用いられる。識別情報５８には、通信手段１１０、アンテナ１１２を介して通信装置３００と通信を行う際に通信に先立って認証を行うための各種識別情報が格納されている。モードダイアルスイッチ６０、シャッタスイッチ６２，６４、単写／連写スイッチ６６、圧縮モードスイッチ６８、操作部７０及びメインスイッチ７２は、システム制御回路５０の各種の動作指示を入力するための操作手段であり、スイッチやダイアル、タッチパネル、視線検知によるポインティング、音声認識装置等の単数或いは複数の組み合わせで構成される。ここで、これらの操作手段の具体的な説明を行う。
【００６８】
メインスイッチ７２は、電源オン及び電源オフを切り替え設定することができる。モードダイアルスイッチ６０は、自動撮影モード、撮影モード、パノラマ撮影モード、再生モード、マルチ画面再生・消去モード、及びＰＣ（Personal Computer）接続モード等の各機能モードを切り替え設定することができる。シャッタスイッチ６２は、不図示のシャッタボタンの操作途中でＯＮとなり、ＡＦ処理、ＡＥ処理、ＡＷＢ処理、及びＥＦ処理等の動作開始を指示する。
【００６９】
シャッタスイッチ６４は、不図示のシャッタボタンの操作完了でＯＮとなり、撮像素子１４から読み出した信号をＡ／Ｄ変換器１６やメモリ制御回路２２を介してメモリ３０に画像データを書き込む露光処理、画像処理回路２０やメモリ制御回路２２での演算を用いた現像処理、メモリ３０から画像データを読み出して圧縮・伸長回路３２で圧縮を行い、記録媒体２００に画像データを書き込む記録処理という一連の処理の動作開始を指示する。単写／連写スイッチ６６は、シャッタスイッチ６４を押した場合に１コマの撮影を行って待機状態とする単写モードと、シャッタスイッチ６４を押している間は連続して撮影を行い続ける連写モードを設定することができる。圧縮モードスイッチ６８は、ＪＰＥＧ（Joint Photographic Experts Group）圧縮の圧縮率を選択するため或いは撮像素子１４の信号をそのままデジタル化して記録媒体に記録するＣＣＤＲＡＷモードを選択することができる。
【００７０】
操作部７０は、各種ボタン、スイッチ、及びタッチパネル等から構成され、メニューボタン、セットボタン、マクロボタン、マルチ画面再生改ページボタン、フラッシュ設定ボタン、セルフタイマボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、再生モード／マイナス画面再生・消去モード／ＰＣ接続モード等の各機能モードを設定することができる再生スイッチ、シャッタスイッチ６２を押したならばオートフォーカス動作を開始し一旦合焦したならばその合焦状態を保ち続けるワンショットＡＦモードとシャッタスイッチ６２を押している間は連続してオートフォーカス動作を続けるサーボＡＦモードとを設定することができるＡＦモード設定スイッチ、画像表示手段２８のＯＮ／ＯＦＦを設定する画像表示ＯＮ／ＯＦＦする、撮影直後に撮影した画像データを自動再生するクイックレビュー機能を設定するクイックレビューＯＮ／ＯＦＦスイッチ等がある。尚、上記プラスボタン及びマイナスボタンの各機能は、回転ダイアルスイッチを備えることによって、より軽快に数値や機能を選択することが可能となる。
【００７１】
電源制御手段８０は、電池検出回路、ＤＣ−ＤＣコンバータ、通電するブロックを切り替えるスイッチ回路等により構成されており、電池（バッテリ）の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。電源８６は、アルカリ電池やリチウム電池等の一次電池やＮｉＣｄ電池やＮｉＭＨ（Nickel Metal Hydride battery）電池、Ｌｉ−ｉｏｎ電池等の二次電池、ＡＣアダプタ等から構成されている。
【００７２】
コネクタ８２，８４は、電源制御回路８２と電源８６との接続を行う。保護手段１０２は、撮像装置１００の撮影レンズ１０を含む撮像部を覆うことにより、撮像部の汚れや破損を防止するバリアである。光学ファインダ１０４は、画像表示手段２８による電子ファインダ機能を使用すること無しに、光学ファインダのみを用いて撮影を行うことが可能である。また、光学ファインダ１０４内には、表示手段５４の一部の機能、例えば、合焦表示、手振れ警告表示、フラッシュ充電表示、シャッタスピード表示、絞り値表示、露出補正表示などが設置されている。
【００７３】
通信手段１１０は、Ｂｌｕｅｔｏｏｔｈ規格に基づく無線通信機能を有する。尚、本発明は、Ｂｌｕｅｔｏｏｔｈ規格に基づく無線通信だけでなく、他のスペクトラム拡散通信による各種近距離高速データ無線通信機能を有する。通信手段１１０によって、画像データや画像データに付属した管理情報（例えば、画像データの名称、撮影日時、画像データを撮影した撮像装置の機種、撮影場所、及び画像データに関するキーワード等）を転送することができる。アンテナ１１２は、通信手段１１０により撮像装置１００を他の機器と接続する。
【００７４】
インタフェース１２８は、メモリカードやハードディスク等の記録媒体とのインタフェースを司る。
【００７５】
コネクタ１２７は、メモリカードやハードディスク等の記録媒体との接続を行う。
【００７６】
尚、本実施形態では記録媒体を取り付けるインタフェース及びコネクタを１系統持つものとして説明しているが、記録媒体を取り付けるインタフェース及びコネクタは、単数或いは複数いずれの系統数を備える構成としても構わない。
【００７７】
また、異なる規格のインタフェース１２８及びコネクタ１２７を組み合わせて備える構成としても構わない。
【００７８】
インタフェース１２８及びコネクタ１２７としては、ＰＣＭＣＩＡ（Personal Computer Memory Card International Association）カードやＣＦ（Compact Flash）カード、ＭＭＣ（Multi Media Card）等の規格に準拠したものを用いて構成しても構わない。
【００７９】
さらに、インタフェース１２８やコネクタ１２７をＰＣＭＣＩＡカードやＣＦカード等の規格に準拠したものを用いて構成した場合、ＬＡＮカードやモデムカード、ＵＳＢカード、ＩＥＥＥ（Institute of Electrical and ElectronicEngineers）１３９４カード、Ｐ１２８４カード、ＳＣＳＩ（Small Computer System Interface）カード、ＰＨＳ（Personal Handy phone System）カード等の各種通信カードを接続することにより、他のコンピュータやプリンタ等の周辺機器との間で画像データや画像データに付属した管理情報を転送し合うことができる。
【００８０】
記録媒体１２０は、メモリカードやハードディスク等から構成されている。
【００８１】
記録媒体１２０は、半導体メモリや磁気ディスク等から構成される記録部１２２、撮像装置１００とのインタフェース１２４、撮像装置１００と接続を行うコネクタ１２６、識別情報１２９を備えている。
【００８２】
上記構成を備えることにより、撮像装置１００は、撮影レンズ１０を通して撮像された画像データを記録媒体１２０に記録し、通信手段１１０及びアンテナ１１２を介して通信装置３００に画像データを送信することができる。
【００８３】
図４は、図１における通信装置３００の詳細構成を示すブロック図である。
【００８４】
図４において、通信装置３００は、マイク３１０、スピーカ３１８、Ａ／Ｄ変換器３１２、Ｄ／Ａ変換器３１６、メモリ制御回路３１４、メモリ３２０、Ｄ／Ａ変換器３２２、画像表示手段３２４、アンテナ３２８、通信手段３２６、インタフェース３９０、コネクタ３９２、アンテナ３３２、通信手段３３０、通信システム制御回路３５０、識別情報３５６、電源制御手段３８０、コネクタ３８２，３８４、電源３８６、メモリ３５２、不揮発性メモリ３５４、表示手段３６０、操作手段３６２、着信通知手段３６４、記録媒体着脱検知手段３６６を備えている。
【００８５】
マイク３１０は、入力された音声をアナログ信号に変換して出力する。Ａ／Ｄ変換器３１２は、マイク３１０から出力されるアナログ信号をデジタル信号に変換する。メモリ制御回路３１４は、Ａ／Ｄ変換器３１２の出力データのメモリ３２０への書き込み／読み出し、メモリ３２０から読み出されたデータのＤ／Ａ変換器３１６への入力を制御する。Ｄ／Ａ変換器３１６は、デジタル信号をアナログ信号に変換する。スピーカ３１８は、アナログ信号を音声に変換する。メモリ３２０は、マイク３１０に入力された音声、撮像装置１００から送信された静止画像データや動画像データを格納するものであり、所定時間の音声や動画像、所定枚数の静止画像を格納するのに十分な記憶容量を備えている。Ｄ／Ａ変換器３２２は、メモリ３２０に格納された静止画像データや動画像データをアナログ信号に変換する。画像表示手段３２４は、Ｄ／Ａ変換器３２２から出力されたアナログ信号に基づいて静止画像や動画像を表示する。
【００８６】
通信手段３２６は、ＴＤＭＡ（Time Division Multiple Access：時分割多重）、ＣＤＭＡ（Code Division Multiple Access：符号分割多重）、Ｗ−ＣＤＭＡ（Wide-band Code Division Multiple Access：広帯域符号分割多重）等による各種遠距離無線通信機能を有する。アンテナ３２８は、通信手段３２６により通信装置３００と通信装置７００や通信基地局とを回線接続する。
【００８７】
通信手段３３０は、Ｂｌｕｅｔｏｏｔｈ規格の基づく無線通信機能を有する。尚、本発明では、Ｂｌｕｅｔｏｏｔｈ規格に基づく無線通信だけでなく、他のスペクトラム拡散通信による各種近距離高速データ通信で実現することも可能である。アンテナ３３２は、通信手段３３０により通信装置３００と他の機器とを接続する。
【００８８】
通信システム制御回路３５０は、通信装置３００全体を制御する。メモリ３５２は、通信システム制御回路３５０の動作用の定数、変数、プログラム等を記憶する。不揮発性メモリ３５４は、電気的に消去可能なメモリであり、例えばＥＥＰＲＯＭ等が用いられる。識別情報３５６には、通信手段３３０、アンテナ３３２を介して撮像装置１００と通信を行う際に、通信に先立って認証を行うための各種識別情報が格納されている。表示手段３６０は、文字や画像を表示する液晶表示装置、音声を再生するスピーカ等であり、例えばＬＣＤやＬＥＤ、発音素子等の組み合わせにより構成され、通信システム制御回路３５０でのプログラムの実行に応じて、動作状態やメッセージをユーザに通知する。また、表示手段３６０は、ユーザの視認し易い通信装置３００の操作手段３６２近辺の視認し易い位置に単数又は複数設置されている。
【００８９】
操作手段３６２は、通信システム制御回路３５０の各種の動作指示を入力するためのものであり、スイッチやダイアル、タッチパネル、視線検知によるポインティング、音声認識装置等の単数或いは複数の組み合わせで構成される。操作手段３６２によれば、通信装置３００の電源オン／オフ、通話の実行（オフフック）／停止（オンフック）、電話番号入力、電話番号検索、及び通信モード切り替え等の操作を行うことができる。着信通知手段３６４は、他の通信装置や通信基地局から通話の着信があった場合に、呼出し音、発声音、音楽等の音声、或いはアイコン、動画、静止画、及び発光等の画像及び或いは振動等により通信装置３００のユーザに着信を通知する。記録媒体着脱検知手段３６６は、コネクタ３９２に記録媒体２００が装着されているか否かを検知する。
【００９０】
電源制御手段３８０は、電池検出回路、ＤＣ−ＤＣコンバータ、通電するブロックを切り替えるスイッチ回路等により構成されており、電池の装着の有無、電池の種類、電池残量の検出を行い、検出結果及び通信システム制御回路３５０の指示に基づいてＤＣ−ＤＣコンバータを制御し、必要な電圧を必要な期間、記録媒体を含む各部へ供給する。電源手段３８６は、アルカリ電池やリチウム電池等の一次電池、ＮｉＣｄ電池やＮｉＭＨ電池、Ｌｉ−ｉｏｎ電池等の二次電池、ＡＣアダプタ等から構成されている。インタフェース３９０は、メモリカードやハードディスク等の記録媒体とのインタフェースを司る。コネクタ３９２は、メモリカードやハードディスク等の記録媒体との接続を行う。コネクタ３８２，３８４は、電源制御回路３８０と電源手段３８６との接続を行う。インタフェース３９０は、記録媒体２００とのインタフェースを司り、コネクタ３９２は記録媒体２００との接続を行う。
【００９１】
尚、本実施形態では記録媒体２００を取り付けるインタフェース３９０及びコネクタ３９２を１系統持つものとして説明しているが、記録媒体２００を取り付けるインタフェース３９０及びコネクタ３９２は、単数或いは複数いずれかの系統数を備える構成としても構わない。また、異なる規格のインタフェース３９０及びコネクタ３９２を組み合わせた構成としても構わない。インタフェース３９０及びコネクタ３９２としては、ＰＣＭＣＩＡカードやＣＦカード、ＭＭＣ等の規格に準拠したものを用いて構成しても構わない。
【００９２】
さらに、インタフェース３９０、そしてコネクタ３９２をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、撮像装置１００や他のコンピュータ、プリンタ等の周辺機器との間で画像データや画像データに付属した管理情報を転送し合うことができる。
【００９３】
記録媒体２００は、メモリカードやハードディスク等から構成されている。記録媒体２００は、半導体メモリや磁気ディスク等から構成される記録部２０２、通信装置３００とのインタフェース２０４、通信装置３００と接続を行うコネクタ２０６、識別情報２０８を備えている。
【００９４】
以上のように、図３の撮像装置１００は、撮影レンズ１０を通して撮像した画像データを記録媒体１２０に記憶し、通信手段１１０、アンテナ１１２を介して図４の通信装置３００に送信し、通信装置３００は、アンテナ３３２、通信手段３３０を介して受信した画像データを着脱可能な記録媒体２００に記録すると共に、通信手段３２６、アンテナ３２８を介して公衆通信網を介して他の通信装置又は通信基地局としての通信装置７００、ひいては撮像装置５００に送信することができる。
【００９５】
また、通信装置１００は、アンテナ３３２及び通信手段３３０を介して画像データを撮像装置１００から受信し、受信した画像データを着脱可能な記録媒体２００に記録したり、画像表示手段３２４に表示したりすることができる。また、通信装置３００は、通信手段３２６及びアンテナ３２８を介して公衆通信網によって通信装置７００や通信基地局に画像データを送信することができ、さらに、それらの装置を介して撮像装置５００に画像データを送信することができる。
【００９６】
以下、本発明の実施の形態に係る通信装置３００及び撮像装置１００によって実行される画像データ検索処理を説明する。
【００９７】
図５は、図４の通信装置３００によって実行される画像情報検索表示処理のフローチャートである。本処理は、通信装置３００によって実行される。
【００９８】
図５において、まず、通信装置３００の電源がＯＮになると（ステップＳ５０１でＹＥＳ）、通信装置３００と撮像装置１００間のＢｌｕｅｔｏｏｔｈ等の装置間通信を起動して（ステップＳ５０２）、通信装置３００が、周囲に通信可能な撮像装置１００を探すべく問い合わせ要求を出す（ステップＳ５０３）、その結果がＯＫで１つ以上の通信可能な撮像装置１００が見つかると（ステップＳ５０４でＹＥＳ）、それらの中から該当する撮像装置１００を検索する（ステップＳ５０５）。この検索は、図７に示すようにメモリ３５２に記憶した撮像装置１００のアドレスＡＤＲを通信可能な撮像装置１００から受信したアドレスと突き合わせて比較することにより行うか、又は１つ以上の通信可能な撮像装置１００を表示手段３６０にリストとして表示し、このリストの中からユーザが選択することにより行う。
【００９９】
尚、アドレスＡＤＲは撮像装置１００を一意に識別するための識別子であり、他の撮像装置や他のデバイス装置１台１台にそれぞれ割り当てられている。
【０１００】
このように、通信すべき撮像装置１００が発見されたときは選択された撮像装置１００とＢｌｕｅｔｏｏｔｈ規格に基づく通信等の装置間通信により接続し（ステップＳ５０６でＹＥＳ）、その撮像装置１００に、画像表示メモリ２４に記憶された複数の画像の中から１つもしくは複数の画像を特定するための検索情報を送信し、その検索情報により検索された画像情報、例えば図８に示すフォーマットの画像情報を要求する（ステップＳ５０７）。図８において、画像情報には、ファイル名、日時、画像を撮影した撮像装置の機種名、画像データ等が含まれる。また、図示はしていないが、ＧＰＳ（グローバルポジショニングシステム）を使用した位置情報や公衆網を使用した無線通信のための基地局の位置に基づく位置情報等により撮影場所が撮像装置で自動的に認識できる場合や位置情報を操作部から入力できる場合は、撮影場所を、撮像画像のキーワードを入力できる場合は、上記画像情報にそれらの情報を含ませるようにしてもよい。
【０１０１】
つまり、ステップＳ５０７の処理では、ファイル名、日時、機種名、位置情報、キーワード等の検索情報を送信し、検索された画像情報を要求する。尚、送信する検索情報は、１つでも複数でもよい。
【０１０２】
この要求に対応する画像情報を受信すると（ステップＳ５０８でＹＥＳ）、この画像情報を画像表示手段３２４に表示し（ステップＳ５０９）、さらに次の画像情報を検索するときは、ステップＳ５０７以降の処理を繰り返すと共に、検索が完了すると（ステップＳ５１０でＮＯ）、装置間通信を停止して（ステップＳ５１１）、本処理を終了する。
【０１０３】
尚、ステップＳ５０８において、複数の画像情報が受信された場合には、それらの画像の縮小画像を作成して一覧表示し、一覧表示された縮小画像の中から選択された画像情報を表示するようにしても、はじめに受信した画像情報を表示し、ユーザにより次の画像の表示指示が行われると次の画像情報を表示するようにしてもよい。また、画像表示手段３２４に一覧表示する場合には、画像データの数に応じて画像データ１つ１つの大きさを変更するようにしてもよい。
【０１０４】
図５の処理によれば、撮像装置１００に、画像表示メモリ２４に記憶された画像情報を要求し（ステップＳ５０７）、この要求に対応する画像情報を受信するので（ステップＳ５０８でＹＥＳ）、撮像装置１００内に記憶した画像情報を通信装置３００から検索することができる。
【０１０５】
図６は、図３の撮像装置１００によって実行される画像情報送信処理のフローチャートである。本処理は、撮像装置１００によって実行される。
【０１０６】
本処理は、撮像装置１００の電源８６として、ＡＣアダプタ等ではなく、アルカリ電池やリチウム電池等の一次電池やＮｉＣｄ電池やＮｉＭＨ電池、Ｌｉ−ｉｏｎ電池等の二次電池が使用されている場合を対象とする。
【０１０７】
図６において、まず、撮像装置１００の電源８６がＯＮになると（ステップＳ６０１でＹＥＳ）、撮像装置１００の電池の残量がＯＫか否かを判別し（ステップＳ６０２）、電池の残量がＯＫであるときは、以下の処理を実行する。
【０１０８】
即ち、撮像装置１００が、周囲に通信可能な通信装置３００を探すべく問い合わせ要求の待ち受け状態にある場合に（ステップＳ６０３）、この問い合わせ要求を受信したときに（ステップＳ６０４でＹＥＳ）、問い合わせの結果を通信装置３００に通知する（ステップＳ６０６）。さらに、その結果がＯＫで通信装置３００が通信可能になったときに（ステップＳ６０７でＹＥＳ）、通信装置３００からの画像情報要求の待ち受け状態となり（ステップＳ６０８）、その要求を受信すると（ステップＳ６０９でＹＥＳ）、画像情報要求と共に受信された検索情報を使用して画像表示メモリ２４に記憶された画像情報、例えば図８に示すフォーマットの画像情報を検索して、検索された画像情報を通信装置３００に送信し（ステップＳ６１０）、上記画像情報の送信が終了すると（ステップＳ６１１でＹＥＳ）、装置間通信を停止して（ステップＳ６１２）、本処理を終了する。
【０１０９】
一方、ステップＳ６０２の判別の結果、電池がＯＫでないときは、その旨の警告を表示手段５４に表示し（ステップＳ６１３）、次いで、電源８６をＯＦＦにして（ステップＳ６１４）、本処理を終了する。
【０１１０】
尚、ステップＳ６１３の処理により、検索の途中で電池がなくなって検索を完了できなかったり、検索が完了してもその検索結果の画像データの送信途中で電池がなくなって送信を完了できなかったりすることを防ぐことができる。尚、検索処理は実行できないが、被写体の撮影は行えるようにしてもよい。
【０１１１】
図６の処理によれば、撮像装置１００は、通信装置３００からの画像情報要求に応じて（ステップＳ６０９でＹＥＳ）、画像表示メモリ２４に記憶された画像情報を通信装置３００に送信することができる。
【０１１２】
また、上記説明では、撮像装置で検索された複数の画像情報が検索された場合には、検索された全ての画像情報を通信装置に送信した。しかしながら、複数の画像情報が検索された場合は、それらの画像情報の縮小画像を撮像装置で作成し、それらの縮小画像にファイル名（縮小画像を作成した際に付けられたファイル番号や、縮小画像に対応する画像情報のファイル名等）を付加して通信装置に送信するようにし、通信装置側ではそれらの縮小画像を一覧表示するようにする。そして、その一覧表示を見たユーザが１つもしくは複数の縮小画像を選択すると、選択された縮小画像のファイル名を通信装置に送信し、通信装置は受信したファイル名に対応する縮小画像に対応する縮小前の画像情報を撮像装置に送信するよにしてもよい。尚、１つの画像情報だけが検索された場合は、縮小画像を送らずに縮小していない画像情報を送るようにしてもよい。
【０１１３】
また、撮像装置と通信装置とが装置間通信により接続した際に、撮像装置から通信装置に対して画像情報の検索として使用可能な検索条件を通知するようにし、通信装置で使用可能な検索条件を表示するようにしてもよい。例えば、撮像装置がファイル名、日時による検索が可能な場合には、ファイル名、日時による検索が可能であることを通信装置に通知し、通信装置では、装置間通信により接続している撮像装置は、ファイル名、日時による検索が可能であることを表示する。
【０１１４】
（第２の実施の形態）
次に、本発明の第２の実施の形態に係るデータ通信システムを図面を参照して説明する。尚、本第２の実施の形態は、その構成（図１〜図４）が上記第１の実施の形態と同じであり、その説明は省略する。以下に、上記第１の実施の形態と異なる点のみを説明する。
【０１１５】
図９は、本発明の第２の実施の形態における通信装置３００により実行される画像データ検索表示処理のフローチャートである。
【０１１６】
図９において、まず、通信装置３００は電源がＯＮかＯＦＦかを判定し（ステップＳ９０１）、電源がＯＮと判定すると（ステップＳ９０１でＹＥＳ）、Ｂｌｕｅｔｏｏｔｈ規格に基づく無線通信を起動する（ステップＳ９０２）。
【０１１７】
通信装置３００は、その周囲に通信可能なデバイス、例えば撮像装置１００が存在するか否かを確認するために「問い合わせ要求」を送信する（ステップＳ９０３）。ステップＳ９０３での問い合わせの結果に基づいて、通信可能なデバイスが存在したか否かを判定する（ステップＳ９０４）。
【０１１８】
ステップＳ９０４にて通信可能なデバイスが存在したと判定すると（ステップＳ９０４でＹＥＳ）、それらのデバイスの中から目的とする撮像装置１００を検索する（ステップＳ９０５）。ここでの検索は、通信可能なデバイスから受信したアドレスと、図７に示す通信装置３００のメモリ３５２に記憶された撮像装置１００のアドレスＡＤＲとを比較することによって行う。又は、通信可能なデバイスを表示手段３６０にリスト表示し、このリストの中からユーザが選択することによって行うようにしてもよい。
【０１１９】
次に、ステップＳ９０５にて目的とする撮像装置１００が発見されたか否かを判定する（ステップＳ９０６）。この判定の結果、目的とする撮像装置１００が発見されたと判定すると（ステップＳ９０６でＹＥＳ）、通信装置３００は、発見した撮像装置１００とＢｌｕｅｔｏｏｔｈ規格に基づく無線通信のアクティブモードによって接続する。そして、通信装置３００は、撮像装置１００内の画像表示メモリ２４に記憶された複数の画像の中から１つもしくは複数の画像を検索するための検索情報を撮像装置１００に送信して、検索された画像データを送信するよう要求する（ステップＳ９０７）（画像データ要求）。
【０１２０】
つまり、ステップＳ９０７において、通信装置３００はファイル名、日時、機種名、位置情報、及びキーワードのいずれかの条件を指定した検索情報を撮像装置１００に送信し、撮像装置１００に対して検索情報に基づいて検索された画像データを送信するよう要求する。尚、送信する検索情報は、１つであっても複数であってもよい。
【０１２１】
次に、ステップＳ９０７にて行った要求に対応する画像データを受信したか否かを判定する（ステップＳ９０８）。ステップＳ９０８にて受信したと判定すると（ステップＳ９０８でＹＥＳ）、受信した画像データを画像表示手段３２４に表示する（ステップＳ９０９）。尚、ステップＳ９０８にて受信した画像データが撮像装置１００にて縮小処理されている場合、通信装置３００は縮小処理された画像データを画像表示手段３２４により一覧表示する。縮小画像には、ファイル名（縮小画像を作成した際に付けられたファイル番号や縮小画像に対応する画像データのファイル名等）が付加されており、ユーザが一覧表示された中から画像データを選択すると、通信装置３００は選択された画像データのファイル名を撮像装置１００に通知する。そして、ファイル名に対応する縮小処理されていない画像データを受信して画像表示手段３２４に表示する。
【０１２２】
また、ステップＳ９０８にて受信した画像データが撮像装置１００にて縮小処理されていない場合、通信装置３００はそれらの画像データを縮小処理して一覧表示するようにしてもよい。さらに、ユーザが特定の画像データを選択すると、縮小処理される前の選択された画像データを表示するようにしてもよい。ここでは、画像データを縮小処理するか否かは受信した画像データの数に応じて決定するようにしても構わない。
【０１２３】
画像表示手段３２４に一覧表示する場合には、画像データの数に応じて画像データ１つ１つの大きさを変更するようにしてもよい。また、一覧表示ではなく、はじめに受信した画像データを表示し、ユーザにより次に受信した画像データの表示指示が行われると次に受信した画像データを表示するというように、１つずつ順番に表示するようにしてもよい。
【０１２４】
ユーザに画像データが縮小処理されているか否かを通知するために、画像データには縮小処理されていることを示すマークやメッセージ等が付加されて表示される。
【０１２５】
つづいて、ステップＳ９０１にて次の画像データを検索するか否かを判定し、次の画像データを検索すると判定すると（ステップＳ９１０でＹＥＳ）、ステップＳ９０７以降の処理を繰り返す。
【０１２６】
一方、ステップＳ９１０にて次の画像データを検索しないと判定すると（ステップＳ９１０でＮＯ）、Ｂｌｕｅｔｏｏｔｈ規格に基づく無線通信を停止して（ステップＳ９１１）、本処理を終了する。
【０１２７】
以上のように、通信装置３００は撮像装置１００に検索情報を送信することにより、撮像装置１００の画像表示メモリ２４に記憶された画像データを検索することができる。また、通信装置３００は検索された画像データを撮像装置１００から受信することができる。
【０１２８】
図１０は、本発明の第２の実施の形態において撮像装置１００により実行される画像データ送信処理のフローチャートである。尚、以下に説明する処理は、撮像装置１００の電源８６として、ＡＣアダプタではなく、アルカリ電池やリチウム電池等の一次電池、或いはＮｉＣｄ電池やＮｉＭＨ電池、Ｌｉ−ｉｏｎ電池等の二次電池が使用されている場合を対象とする。
【０１２９】
まず、撮像装置１００は、電源８６がＯＮかＯＦＦかを判定する（ステップＳ１００１）。ステップＳ１００１にて電源８６がＯＮであると判定すると（ステップＳ１００１でＹＥＳ）、撮像装置１００の電池の残量が十分であるか否かを判別する（ステップＳ１００２）。
【０１３０】
ステップＳ１００２にて電池の残量が十分であると判定すると（ステップＳ１００２でＹＥＳ）、撮像装置１００はＢｌｕｅｔｏｏｔｈ規格に基づく無線通信を起動し、通信装置３００からの問い合わせ要求（図９のステップＳ９０３）の待ち受け状態となる（ステップＳ１００３）。
【０１３１】
次に、通信装置３００から問い合わせ要求を受信したか否かを判定する（ステップＳ１００４）。この判別の結果、問い合わせ要求を受信したと判定すると（ステップＳ１００４でＹＥＳ）、問い合わせ要求に対する応答結果を通信装置３００に送信する（ステップＳ１００５）。つづいて、Ｂｌｕｅｔｏｏｔｈ規格に基づく無線通信のアクティブモードで通信装置３００と接続されたか否かを判定する（ステップＳ１００６）。
【０１３２】
ステップＳ１００６の判別の結果、Ｂｌｕｅｔｏｏｔｈ規格に基づく無線通信のアクティブモードで通信装置３００と接続されたと判定すると（ステップＳ１００６でＹＥＳ）、撮像装置１００は通信装置３００からの画像データ要求（図９のステップＳ９０７）の待ち受け状態となる（ステップＳ１００７）。尚、ここで、撮像装置１００から通信装置３００に対して検索可能な条件を通知し、通信装置３００からこの条件に応じた検索情報を受信できるようにしてもよい。また、この場合、通信装置３００の表示部３６０には検索可能な条件が表示されるようにしてもよい。例えば、撮像装置１００がファイル名、撮影日時の条件による検索が可能な場合には、その条件を通信装置３００に通知し、通信装置３００はファイル名、撮影日時による検索が可能であることを表示部３６０に表示する。
【０１３３】
ステップＳ１００８にて通信装置３００からの画像データ要求を受信したか否かを判定する。この判別の結果、通信装置３００からの画像データ要求を受信したと判定すると、画像データ要求と共に受信した検索情報と画像表示メモリ２４に記憶された画像データの管理情報に基づいて、画像表示メモリ２４に記憶された画像データを検索する。例えば、図８に示すフォーマットの画像データを検索する。画像データには、ファイル名、撮影日時、及び撮像装置１００の機種名等の管理情報と撮像された画像データが含まれる。また、図示はしていないが、ＧＰＳ（Global Positioning System）や公衆無線通信の基地局に基づく位置情報によって撮影場所が撮像装置１００で自動的に認識できる場合や、位置情報を操作部から入力できる場合には、撮影場所に関する情報を管理情報に含むようにしてもよい。また、撮像した画像データのキーワードを入力できる場合は、管理情報にキーワードを含むようにしてもよい。
【０１３４】
次に、検索された画像データを通信装置３００に送信する（ステップＳ１００９）。複数の画像データが検索された場合には、検索された全ての画像データを通信装置３００に送信する。尚、検索された画像データの縮小画像を作成し、それぞれの縮小画像にファイル名（縮小画像を作成した際に付けられたファイル番号や、縮小画像に対応する画像データのファイル名等）を付加して通信装置３００に送信するようにしてもよい。そして、通信装置３００からファイル名を受信すると、そのファイル名に対応する縮小処理していない画像データを通信装置３００に送信するようにしてもよい。また、検索された画像データの縮小画像を作成するか否かは、検索された画像データの数に応じて決定するようにしてもよい。
【０１３５】
ステップＳ１０１０では、画像データの送信が終了したか否かを判定し、画像データの送信が終了したと判定すると（ステップＳ１０１０でＹＥＳ）、Ｂｌｕｅｔｏｏｔｈ規格に基づく無線通信を停止して（ステップＳ１０１１）、本処理を終了する。
【０１３６】
一方、ステップＳ１００２にて電池の残量が十分でないと判定すると（ステップＳ１００２でＮＯ）、例えば、「画像データの検索は行えません。」との警告を表示手段５４に表示する（ステップＳ１０１２）。これにより、検索の途中で電池がなくなって検索を完了できなかったり、検索が完了してもその検索結果の画像データの送信途中で電池がなくなって送信を完了できなかったりすることを防ぐことができる。尚、検索処理は実行できないが、被写体の撮影は行えるようにしてもよい。そして、電源８６をＯＦＦにして（ステップＳ１０１３）、本処理を終了する。
【０１３７】
以上のように、撮像装置１００は通信装置３００からの検索要求に応じて、画像表示メモリ２４に記憶された画像データを検索し、検索された画像データを通信装置３００に送信することができる。
【０１３８】
また、本発明は、前述した実施の形態を実現するソフトウェアのプログラムモジュールを記憶した記憶媒体（記録媒体）を、システム又は装置にプログラムを供給することによって達成される場合にも適用できることはいうまでもない。この場合、記憶媒体から読み出されたプログラムモジュール自体が本発明の新規な機能を実現することになり、そのプログラムを記憶した記憶媒体は本発明を構成することになる。
【０１３９】
上記実施の形態では、プログラムモジュールは撮像装置１００内のメモリ５２や通信装置３００内のメモリ３５２に格納されているが、プログラムモジュールを供給する記憶媒体としては、リムーバルディスク、ハードディスク、光ディスク、光磁気ディスク、ＣＤ−ＲＯＭ、ＭＯ、ＣＤ−Ｒ、ＤＶＤ、磁気テープ、及び不揮発性のメモリカード等の様々なものが考えられるが、特定のものに限定する必要はなく、上記プログラムを記憶できるものであればよい。
【０１４０】
尚、上記実施の形態における撮像装置１００，５００は、デジタルカメラに限らずビデオカメラであってもよい。また、画像データではなく音声データを伝送する場合には、撮像装置１００，５００をＭＤレコーダ等の音声記録装置に置き換えることで本発明を実現することもできる。
【０１４１】
また、通信装置３００，７００は、携帯電話に限らず、ノートＰＣやＰＤＡ（Personal Digital Assistance）等のような通信機能を有する電子機器でも、本発明を実現することができる。
以上詳述したように、本発明によれば、撮像装置と装置間通信により接続し、撮像装置が記憶する複数の画像データを検索し、検索された画像データを表示することができる。また、通信装置からの指示により画像データを検索することができる。したがって、装置間通信により撮像装置と通信装置を接続した際の検索を簡単に行うことができる。
【０１４４】
【発明の効果】
本発明によれば、検出されたバッテリの残量が十分なときだけ検索情報の通信装置からの受信を可能にするので、撮像装置が検索の途中で電池がなくなって検索を完了できなかったり、検索が完了してもその検索結果の画像データの送信途中で電池がなくなって送信を完了できなかったりすることを防ぐことができる。
【図面の簡単な説明】
【図１】本発明の第１の実施の形態に係るデータ通信システムの全体構成を示す図である。
【図２】図１における撮像装置１００及び通信装置３００の外観図である。
【図３】図１における撮像装置１００の概略構成を示すブロック図である。
【図４】図１における通信装置３００の詳細構成を示すブロック図である。
【図５】図４の通信装置３００によって実行される画像情報検索表示処理のフローチャートである。
【図６】図３の撮像装置１００によって実行される画像情報送信処理のフローチャートである。
【図７】図３の撮像装置１００のアドレスを記憶するメモリの説明図である。
【図８】図３の撮像装置１００の画像情報のフォーマットの説明図である。
【図９】本発明の第２の実施の形態において通信装置３００により実行される画像データ検索表示処理のフローチャートである。
【図１０】本発明の第２の実施の形態において撮像装置１００により実行される画像データ送信処理のフローチャートである。
【符号の説明】
５４  表示手段
８４  電源
１００，５００  撮像装置
１１０  通信手段
１１２  アンテナ
３００，７００  通信装置
３２６  通信手段
３２８  アンテナ
３３０  通信手段
３３２  アンテナ
３６０  表示手段
３８０  電源制御装置
３８６  電源
【図１】
0004731765.tif 000002
【図２】
0004731765.tif 000003
【図３】
0004731765.tif 000004
【図４】
0004731765.tif 000005
【図５】
0004731765.tif 000006
【図６】
0004731765.tif 000007
【図７】
0004731765.tif 000008
【図８】
0004731765.tif 000009
【図９】
0004731765.tif 000010
【図１０】
0004731765.tif 000011